(57)【要約】【課題】擬似接着層によって剥離可能に接着される擬似接着シートにおいて、インクや擬似接着層の種類によらずに、接着力を低下させることなくインクの定着性を向上させる。【解決手段】基材シート１０に積層されたコート層２０上に擬似接着層３０が積層され、コート層２０上の一部にインクジェットによって情報が印字された情報表示部５が設けられ、擬似接着層３０が重ね合わされることによって剥離可能に接着される構成において、コート層２０には、情報表示部５が設けられた領域の表面に凹凸加工が施されることにより凹凸２１が設けられている。【選択図】図１
2014189909.tif 000002
【特許請求の範囲】
【請求項１】
基材シートに積層されたコート層上に擬似接着層が積層され、前記コート層上の一部にインクジェットによって情報が印字された情報表示部が設けられ、前記擬似接着層が重ね合わされることによって剥離可能に接着される擬似接着シートにおいて、
前記コート層は、前記情報表示部が設けられた領域の表面に凹凸加工が施されていることを特徴とする擬似接着シート。
【請求項２】
請求項１に記載の擬似接着シートにおいて、
前記凹凸加工による凹凸は、前記コート層の前記情報表示部が設けられていない領域の表面に存在する凹凸よりも大きい擬似接着シート。
【請求項３】
請求項１または請求項２に記載の擬似接着シートにおいて、
前記情報表示部は、当該擬似接着シートの周縁部の少なくとも一部に設けられている擬似接着シート。
【発明の詳細な説明】
【技術分野】
【０００１】
本発明は、擬似接着層によって剥離可能に接着される擬似接着シートに関し、特に、接着力を低下させることなくインクの定着性を向上させる技術に関する。
【背景技術】
【０００２】
従来より、ダイレクトメール等といった郵送等によって送付される印刷物においては、差出人が受取人に通知したい情報が文字や画像として所定の用紙に印刷されており、そのほとんどが、封筒等に封入、封緘され、封入体として受取人に送付されている。このような封入体は、受取人が封筒を開封して封筒等に封入された印刷物を閲覧することによって、差出人が通知したい情報が受取人に通知されることになる。
【０００３】
また、近年においては、擬似接着剤を用いたはがきが利用されている。このはがきは、連接した複数のはがき紙片のそれぞれに、紙片どうしを剥離可能に接着する擬似接着剤を塗工しておき、その後、はがき紙片を折り畳み加圧することにより、折り畳まれたはがき紙片どうしが剥離可能に接着されるものであり、このはがきを用いることにより、コンパクトにかつ大量の情報を通知することができるようになる。
【０００４】
ところで、上述したはがきのように擬似接着剤を用いて剥離可能に接着される擬似接着シートにおいては、インクジェットによって情報を印字する場合、インクの定着性を向上させる必要がある。そのため、例えば基材シート上に凹凸を形成することが考えられるが、基材シート上に凹凸を形成すると、擬似接着剤がこの凹凸によって基材シートに沈み込んでしまい、接着力が低下してしまう。
【０００５】
ここで、基材シート上に顔料層を積層し、この顔料層上にインク定着層を積層し、その上からインクジェットで情報を印字し、その上に擬似接着剤を塗工することにより、擬似接着剤の沈み込みを抑制するとともにインクの定着性を向上させる技術が考えられており、特許文献１に開示されている。
【先行技術文献】
【特許文献】
【０００６】
【特許文献１】特開２００５−２９８９９４号公報
【発明の概要】
【発明が解決しようとする課題】
【０００７】
しかしながら、特許文献１に開示された技術においては、インクや擬似接着剤の種類によっては、顔料層やインク定着層との相性が合わず、インクの定着性が損なわれて印字品質が低下したり、接着力が低下して不用意な剥離が生じたりする虞れがある。
【０００８】
本発明は、上述したような従来の技術が有する問題点に鑑みてなされたものであって、擬似接着層によって剥離可能に接着される擬似接着シートにおいて、インクや擬似接着層の種類によらずに、接着力を低下させることなくインクの定着性を向上させることができる擬似接着シートを提供することを目的とする。
【課題を解決するための手段】
【０００９】
上記目的を達成するために本発明は、
基材シートに積層されたコート層上に擬似接着層が積層され、前記コート層上の一部にインクジェットによって情報が印字された情報表示部が設けられ、前記擬似接着層が重ね合わされることによって剥離可能に接着される擬似接着シートにおいて、
前記コート層は、前記情報表示部が設けられた領域の表面に凹凸加工が施されていることを特徴とする。
【００１０】
上記のように構成された本発明においては、基材シートに積層されたコート層上に擬似接着層が積層され、コート層上の一部にインクジェットによって情報が印字された情報表示部が設けられた構成において、コート層の情報表示部が設けられた領域の表面に凹凸加工が施されているので、接着力が低下することなく、情報表示部においては、インクジェットによって情報が印字されるとインクが凹凸加工による凹凸に入り込みインクの定着性が向上する。
【００１１】
具体的には、凹凸加工による凹凸を、コート層の情報表示部が設けられていない領域の表面に存在する凹凸よりも大きくすることにより、情報表示部におけるインクの定着性を向上させることができる。
【００１２】
また、情報表示部が、擬似接着シートの周縁部の少なくとも一部に設けられていれば、この領域においては、擬似接着層がコート層に全く沈み込むことがなくなり、接着力が向上し、不用意な剥離が抑制される。
【発明の効果】
【００１３】
本発明によれば、擬似接着層によって剥離可能に接着される擬似接着シートにおいて、インクや擬似接着層の種類によらずに、接着力を低下させることなくインクの定着性を向上させることができる。
【００１４】
また、情報表示部が、擬似接着シートの周縁部の少なくとも一部に設けられているものにおいては、この領域では、擬似接着層がコート層に全く沈み込むことがなくなり、接着力が向上し、不用意な剥離を抑制することができる。
【図面の簡単な説明】
【００１５】
【図１】本発明の擬似接着シートの第１の実施の形態を示す図であり、（ａ）は表面図、（ｂ）は（ａ）に示したＡ−Ａ’断面図である。
【図２】図１に示した擬似接着シートの製造方法を説明するための図である。
【図３】本発明の擬似接着シートの第２の実施の形態を示す図であり、（ａ）は表面図、（ｂ）は（ａ）に示したＡ−Ａ’断面図である。
【図４】本発明の擬似接着シートの第３の実施の形態を示す図であり、（ａ）は表面図、（ｂ）は（ａ）に示したＡ−Ａ’断面図である。
【発明を実施するための形態】
【００１６】
以下に、本発明の実施の形態について図面を参照して説明する。
【００１７】
（第１の実施の形態）
図１は、本発明の擬似接着シートの第１の実施の形態を示す図であり、（ａ）は表面図、（ｂ）は（ａ）に示したＡ−Ａ’断面図である。
【００１８】
本形態における擬似接着シートは図１に示すように、基材シート１０上にコート層２０が積層され、さらにコート層２０上に擬似接着層３０が積層されて構成され、これら基材シート１０、コート層２０及び擬似接着層３０が、折り部４を介して折り畳み可能に連接した２つの紙片部２，３となっている。
【００１９】
基材シート１０としては、上質紙や中質紙、ザラ紙、コットン紙、ＰＧＭ／ＧＰ／ＴＭＰ等の各種機械パルプ、新聞／チラシ／雑誌等の古紙パルプを配合した用紙等を用いることができる。
【００２０】
コート層２０は、基材シート１０上に塗工液が塗工されることによって積層される。塗工液は、顔料や接着剤、補助薬品（分散剤や耐水化剤）等から構成される塗工液で構成されている。顔料としては、粒径が１〜２μｍのクレーや、炭酸カルシウム、二酸化チタン、サチンホワイト（硫酸アルミニウムと石灰乳から生成される白色顔料）等を用いることが考えられる。コート層２０の表面には、基材シート１０の表面の粗さや塗工液の材質等によって微細な凹凸２２が元々存在している。
【００２１】
擬似接着層３０は、擬似接着層３０どうしが重ね合わされることによって剥離可能に接着されるものであって、ＵＶインキや水性エマルジョン糊を用いることが考えられる。ＵＶインキは、大きく分けて、粘着成分と硬化成分とから構成されている。粘着成分としては、ソープフリー乳化重合で得られた、スチレン−ブタジエンゴム（ＳＢＲ）やアクリロニトリル−ブタジエンゴム（ＮＢＲ）のゴムラテックス、ポリアクリル酸エステル等のアクリル系樹脂ラテックス等を用いることが考えられる。硬化成分としては、アクリル系オリゴマーとアクリル系光重合性モノマーと光重合開始剤等を用いることが考えられる。
【００２２】
さらに、コート層２０上の一部には、インクジェットによりインク４０が塗工されることで情報が印字されてなる情報表示部５が設けられており、この情報表示部５が設けられた領域の表面には、コート層２０の表面に元々存在する微細な凹凸よりもその径及び深さが大きな凹凸２１が設けられている。すなわち、情報表示部５が設けられた領域の表面に存在する凹凸２１は、情報表示部５が設けられていない領域の表面に元々存在する凹凸２２よりもその径及び深さが大きなものとなっている。
【００２３】
以下に、上記のように構成された擬似接着シート１の製造方法について説明する。
【００２４】
図２は、図１に示した擬似接着シート１の製造方法を説明するための図である。
【００２５】
まず、基材シート１０の一方の面上に、上述したような塗工液を塗工することによってコート層２０を積層する（図２（ａ））。この際、コート層２０の表面には、基材シート１０の表面の粗さや塗工液の材質等によって微細な凹凸２２が元々存在する。
【００２６】
次に、コート層２０の表面のうち情報表示部５となる領域に、凹凸加工を施すことによって、その径及び深さが凹凸２２よりも大きな凹凸２１を形成する（図２（ｂ））。この凹凸加工は、コート層２０の表面のうち情報表示部５となる領域にレーザー光を照射させたり、その領域を研磨したりすることによって施すことが考えられる。その他に、微小凹凸ローラーによる押圧やサンドペーパーを巻き付けた回転ローラーによる加工等によって凹凸加工を施してもよい。
【００２７】
次に、コート層２０の表面のうち情報表示部５となる領域に、インクジェットによりインク４０を塗工することで情報を印字して情報表示部５を設ける（図２（ｃ））。この際、コート層２０の表面のうち情報表示部５が設けられる領域には凹凸加工が施されており、その凹凸加工による凹凸２１の径及び深さが、コート層２０の全面に元々存在する微細な凹凸２２よりも大きいため、インク４０がコート層２０に沈み込みやすくなり、コート層２０の表面にてはじかれずに定着性が向上する。
【００２８】
その後、コート層２０の表面に擬似接着層３０を積層し、図１に示した擬似接着シート１を完成させる（図２（ｄ））。ここで、擬似接着層３０は、情報表示部５が設けられた領域においてはインク４０の表面に当接するため、コート層２０に沈み込むことがインク４０によって回避される。また、情報表示部５が設けられていない領域においては、擬似接着層３０はコート層２０に当接することになるが、この領域には、微細な凹凸２２が元々存在するものの、情報表示部５が設けられた領域のように凹凸加工による凹凸２１が設けられていないことにより、擬似接着層３０がコート層２０に沈み込むことがほとんどない。これにより、コート層２０の基材シート１０とは反対側の面には、その全面に所望の接着力を発揮できる程度の厚さの擬似接着層３０を積層することができ、その後、擬似接着シート１が折り部４にて折り畳まれて紙片部２と紙片部３とを接着した際、所望の接着力を得ることができる。
【００２９】
このように本形態においては、コート層２０の情報表示部５が設けられた領域の表面に、凹凸加工が施されることにより、コート層２０の表面に元々存在する凹凸２２よりも大きな凹凸２１が設けられているので、インク４０や擬似接着層３０の種類によらずに、接着力を低下させることなく情報表示部５におけるインク４０の定着性を向上させることができる。
【００３０】
（第２の実施の形態）
図３は、本発明の擬似接着シートの第２の実施の形態を示す図であり、（ａ）は表面図、（ｂ）は（ａ）に示したＡ−Ａ’断面図である。
【００３１】
本形態における擬似接着シートは図３に示すように、図１に示したものに対して、コート層２０の表面において情報表示部５の周辺部６にも凹凸加工が施されることによって、凹凸２１と同じ径及び深さを有する凹凸２３が形成されている点が異なるものである。
【００３２】
上記のように構成された擬似接着シート１０１においては、高速生産等により、凹凸加工やインクジェットによる情報の印字時の位置精度が低下してインク４０が塗工される領域が凹凸２１から多少ずれた場合でも、インク４０が凹凸２３によってコート層２０に沈み込み、インクの定着性が確保されることになる。
【００３３】
（第３の実施の形態）
図４は、本発明の擬似接着シートの第３の実施の形態を示す図であり、（ａ）は表面図、（ｂ）は（ａ）に示したＡ−Ａ’断面図である。
【００３４】
本形態における擬似接着シートは図４に示すように、図３に示したものに対して、コート層２０の表面のうち、擬似接着シート２０１の周縁部の一部となる１つの角部にも凹凸加工が施されることによって、凹凸２１と同じ径及び深さを有する凹凸２４が形成され、印刷デザインとは無関係にこの領域にもインク４０が塗工されて情報表示部５が設けられている点が異なるものである。
【００３５】
上記のように構成された擬似接着シート２０１においては、全く印字が行われずにコート層２０に情報表示部５が設けられていなかったり、印字面積が狭く、コート層２０のごく一部にしか情報表示層５が設けられていなかったりした場合であっても、情報表示部５が設けられた擬似接着シート２０１の角部においては、擬似接着層３０がコート層２０に全く沈み込むことがなくなり、それにより、接着力が向上し、印刷デザインによらずに不用意な剥離を抑制することができる。また、その領域が、擬似接着シート２０１の周縁部の少なくとも一部であることにより、不用意な剥離のきっかけが生じにくい。また、本形態及び第２の実施の形態にて示した凹凸２３が擬似接着シート２０１の周縁部近傍に存在する場合に、インク４０が凹凸２１，２３に全て入り込まない場合が生じることもあるが、その場合においても、擬似接着シート２０１の周縁部に凹凸２４及び情報表示部５を設けることにより、この凹凸２４にも情報表示部５によるインク４０が入り込み、上記作用が生じることになる。
【産業上の利用可能性】
【００３６】
本発明の擬似接着シートは、例えば、情報隠蔽シート等の親展性を持つはがきや、通知書、カード等の個人的用件あるいはプリント情報、印刷情報等の各種情報の隠蔽性能が要求される情報隠蔽シートに用いることができる。
【符号の説明】
【００３７】
１，１０１，２０１    擬似接着シート
２，３    紙片部
４    折り部
５    情報表示部
６    周辺部
１０    基材シート
２０    コート層
２１〜２４    凹凸
３０    擬似接着層
４０    インク
【図１】
2014189909.tif 000003
【図２】
2014189909.tif 000004
【図３】
2014189909.tif 000005
【図４】
2014189909.tif 000006